(57)【要約】【課題】接着剤の充填による、感温部キャップと感温部との間の熱的結合性の確保、感温部の固定位置ばらつきの抑制、および、熱拡散の抑制を可能とする構造を備える、感温部キャップおよび電子体温計を提供する。【解決手段】へこみ領域１３０により、収容部１２０の内部に凸部が設けられ、この凸部により、収容部１２０の内部が、中心軸Ａ１を挟んで、２つの感温部支持領域１３０ａに区分けされている。感温部支持領域１３０ａは、感温部７３を取り囲むように収容部１２０の壁面が位置することなり、感温部キャップ１００Ａの収容部１２０にサーミスタ（温度センサ）の感温部７３を挿入した場合、いずれかの感温部支持領域１３０ａに到達することとなり、少ない接着剤５０の量で感温部７３を感温部支持領域１３０ａに対して容易に位置決めすることが可能となる。【選択図】図６
2012112766.tif 000002
【特許請求の範囲】
【請求項１】
電子体温計に用いられる感温部キャップであって、
前記電子体温計は、先端に開口部を有する中空の本体ハウジング、リード線によって前記本体ハウジングの内部から前記開口部を通して前記本体ハウジングの外部に引き出される感温部、および、前記感温部を収容し、前記開口部を塞ぐ当該感温部キャップを備え、
当該感温部キャップは、
前記本体ハウジングの前記開口部側に位置する略筒形状の胴体部と、
前記胴体部に連通し前記感温部を収容する有底の収容部と、を含み、
前記収容部には、その外面の先端部側に前記胴体部側に向かうへこみ領域が形成されることにより、前記収容部の内部に感温部支持領域が設けられている、感温部キャップ。
【請求項２】
前記へこみ領域により、前記収容部の内部が２以上の前記感温部支持領域に区分けされ、
区分けされた一つの前記感温部支持領域に、前記感温部が収容されている、請求項１に記載の感温部キャップ。
【請求項３】
前記へこみ領域は、前記収容部の先端部側から前記胴体部側に向かう直線状の凹み溝を有し、
前記凹み溝により、前記収容部は２以上の前記感温部支持領域に区分けされている、請求項２に記載の感温部キャップ。
【請求項４】
前記へこみ領域は、前記収容部の先端中央部側から前記胴体部側に向かう筒状の凹み溝を有し、
前記収容部の内部は、前記凹み溝により、前記収容部は環状に前記感温部支持領域が区分けされている、請求項２に記載の感温部キャップ。
【請求項５】
前記へこみ領域により、前記収容部の内部空間に、先端部側に向かうほど狭くなる感温部支持領域が規定され、
前記感温部支持領域の先端部に、前記感温部が収容されている、請求項１に記載の感温部キャップ。
【請求項６】
前記へこみ領域は、
前記胴体部側に位置し第１傾斜角度を有する第１傾斜面と、
前記先端部側に位置し第１傾斜角度よりも大きい第２傾斜角度を有する第２傾斜面とを有し、
前記第２傾斜面により仕切られた前記感温部支持領域の先端部に、前記感温部が収容されている、請求項５に記載の感温部キャップ。
【請求項７】
前記へこみ領域は、
所定の傾斜角度を有する傾斜面を有し、
前記傾斜面により仕切られた前記感温部支持領域の先端部に、前記感温部が収容されている、請求項５に記載の感温部キャップ。
【請求項８】
先端に開口部を有する中空の本体ハウジングと、
リード線によって前記本体ハウジングの内部から前記開口部を通して前記本体ハウジングの外部に引き出される感温部と、
前記感温部を収容し、前記開口部を塞ぐ感温部キャップと、
を備える電子体温計であって、
前記感温部キャップは、請求項１から７のいずれかに記載の感温部キャップである、電子体温計。
【請求項９】
前記本体ハウジングは、表示部を含み、
前記感温部キャップを先端側から見た場合に、前記表示部の表示面が、前記感温部から約９０°回転した方向に面している、請求項８に記載の電子体温計。
【発明の詳細な説明】
【技術分野】
【０００１】
本発明は、感温部キャップおよび電子体温計の構造に関する。
【背景技術】
【０００２】
一般に、腋下や舌下などの被測定部位に挟み込むことで体温を測定する電子体温計においては、先端に開口部を有する中空の本体ハウジング、リード線によって本体ハウジングの内部から開口部を通して本体ハウジングの外部に引き出される感温部、および、この感温部を収容し、開口部を塞ぐ感温部キャップを備えている（たとえば、下記特許文献１、特許文献２）。
【０００３】
感温部は、感温部キャップ内の収容部に固定されるが、感温部の固定ばらつきが電子体温計の性能に大きく影響する。感温部の感温部キャップへの固定方法について図１９から図２２を参照して説明する。
【０００４】
図１９は、感温部キャップ２００の構造を示す全体斜視図であり、図２０は、感温部キャップ２００の縦断面図である。この感温部キャップ２００は、ステンレス等の金属材料からなり、断面はＵ字形状を有している。直径（φＤ）は、約３ｍｍ〜５ｍｍ、長さ（Ｌ）は、約７ｍｍ〜１１ｍｍ程度である。また、後述する感温部７３の大きさ（体積）は約１ｍｍ３と小さく、また、リード線７２の一本の太さも約０．１ｍｍ程度と細い。
【０００５】
感温部の感温部キャップへの固定方法としては、（ａ）感温部キャップに接着剤を満たし、感温部の感温部キャップへの固定と、感温部キャップの本体ハウジングへの固定とを同時に行なう方法、（ｂ）感温部の先端部に少量の接着剤を付けて感温部の感温部キャップへの固定を行ない、本体ハウジングに別の接着剤を塗布し、感温部キャップを本体ハウジングに固定する方法が挙げられる。
【０００６】
図２１は、上記（ａ）の場合を示す断面であり、感温部キャップ２００の内部が、接着剤５０で満たされ、感温部キャップ２００の底部（先端部）に、リード線７２が連結された感温部７３が固定されている。
【０００７】
図２２は、上記（ｂ）の場合を示す断面であり、感温部キャップ２００の内部において、感温部７３の先端部に少量の接着剤を付けて、感温部キャップ２００の底部（先端部）に、リード線７２が連結された感温部７３が固定されている。
【０００８】
ここで、（ａ）に示す方法は、接着剤５０の存在によって、感温部キャップ２００と感温部７３とが熱的に結合される。しかし、感温部キャップ２００の内部の接着剤５０層から熱が拡散し、感温部７３への熱伝達が遅くなる。
【０００９】
また、（ｂ）に示す方法は、感温部キャップ２００内に空気層が設けられるので、熱が拡散せずに感温部キャップ２００から感温部７３に素早く熱が伝わる。また、感温部７３を感温部キャップ２００の底部（先端部）に突き当たるまで挿入すればよく、感温部７３の感温部キャップ２００に対する位置決めは比較的良い。しかし、接着剤５０の付き方によっては、感温部キャップ２００と感温部７３との熱的な結合状態が不完全な場合が生じ得る。
【先行技術文献】
【特許文献】
【００１０】
【特許文献１】特開２００７−１２０９６３号公報
【特許文献２】特開２００９−３００３１０号公報
【発明の概要】
【発明が解決しようとする課題】
【００１１】
このように、接着剤の充填量が多い場合には、感温部キャップ２００と感温部７３との間の熱的結合性は向上するものの、熱拡散が生じ感温部７３への熱伝達が遅くなる。一方、接着剤の充填量が少ない場合には、感温部７３への熱伝達は早くなるものの、感温部キャップ２００と感温部７３との間の熱的結合性が低下し、電子体温計の個体毎の製品ばらつき（器差）を生じさせる。
【００１２】
この発明の目的は、接着剤の充填による、感温部キャップと感温部との間の熱的結合性の確保、感温部の固定位置ばらつきの抑制、および、熱拡散の抑制を可能とする構造を備える、感温部キャップおよび電子体温計を提供することを目的とする。
【課題を解決するための手段】
【００１３】
この発明に基づいた感温部キャップにおいては、電子体温計に用いられる感温部キャップであって、上記電子体温計は、先端に開口部を有する中空の本体ハウジング、リード線によって上記本体ハウジングの内部から上記開口部を通して上記本体ハウジングの外部に引き出される感温部、および、上記感温部を収容し、上記開口部を塞ぐ当該感温部キャップを備え、当該感温部キャップは、上記本体ハウジングの上記開口部側に位置する略筒形状の胴体部と、上記胴体部に連通し上記感温部を収容する有底の収容部とを含み、上記収容部には、その外面の先端部側に上記胴体部側に向かうへこみ領域が形成されることにより、上記収容部の内部に感温部支持領域が設けられている。
【００１４】
他の形態においては、上記へこみ領域により、上記収容部の内部が２以上の上記感温部支持領域に区分けされ、区分けされた一つの上記感温部支持領域に、上記感温部が収容されている。
【００１５】
他の形態においては、上記へこみ領域は、上記収容部の先端部側から上記胴体部側に向かう直線状の凹み溝を有し、上記凹み溝により、上記収容部は２以上の上記感温部支持領域に区分けされている。
【００１６】
他の形態においては、上記へこみ領域は、上記収容部の先端中央部側から上記胴体部側に向かう筒状の凹み溝を有し、上記収容部の内部は、上記凹み溝により、上記収容部は環状に上記感温部支持領域が区分けされている。
【００１７】
他の形態においては、上記へこみ領域により、上記収容部の内部空間に、先端部側に向かうほど狭くなる感温部支持領域が規定され、上記感温部支持領域の先端部に、上記感温部が収容されている。
【００１８】
他の形態においては、上記へこみ領域は、上記胴体部側に位置し第１傾斜角度を有する第１傾斜面と、上記先端部側に位置し第１傾斜角度よりも大きい第２傾斜角度を有する第２傾斜面とを有し、上記第２傾斜面により仕切られた上記感温部支持領域の先端部に、上記感温部が収容されている。
【００１９】
他の形態においては、上記へこみ領域は、所定の傾斜角度を有する傾斜面を有し、上記傾斜面により仕切られた上記感温部支持領域の先端部に、上記感温部が収容されている。
【００２０】
この発明に基づいた電子体温計においては、先端に開口部を有する中空の本体ハウジングと、リード線によって上記本体ハウジングの内部から上記開口部を通して上記本体ハウジングの外部に引き出される感温部と、上記感温部を収容し、上記開口部を塞ぐ感温部キャップと、を備える電子体温計であって、上記感温部キャップは、上述の感温部キャップである。
【００２１】
他の形態においては、上記本体ハウジングは、表示部を含み、上記感温部キャップを先端側から見た場合に、上記表示部の表示面が、上記感温部から約９０°回転した方向に面している。
【発明の効果】
【００２２】
この発明に基づいた感温部キャップおよび電子体温計によれば、接着剤の充填による、感温部キャップと感温部との間の熱的結合性の確保、感温部の固定位置ばらつきの抑制、および、熱拡散の抑制を可能とする構造を備える、感温部キャップおよび電子体温計を提供することが可能となる。
【図面の簡単な説明】
【００２３】
【図１】電子体温計の外観構造を示す斜視図である。
【図２】電子体温計の機能ブロックの構成を示す図である。
【図３】電子体温計の組付け構造を示す分解斜視図である。
【図４】実施の形態１の感温部キャップの外観構造を示す斜視図である。
【図５】実施の形態１の感温部キャップの外観構造を示す図であり、（Ａ）は正面図、（Ｂ）は側面図、（Ｃ）は先端から見た底面図である。
【図６】図５中ＶＩ−ＶＩ線矢視断面図である。
【図７】実施の形態２の感温部キャップの外観構造を示す斜視図である。
【図８】実施の形態２の感温部キャップの外観構造を示す図であり、（Ａ）は正面図、（Ｂ）は側面図、（Ｃ）は先端から見た底面図である。
【図９】図８中ＩＸ−ＩＸ線矢視断面図である。
【図１０】実施の形態３の感温部キャップの外観構造を示す斜視図である。
【図１１】実施の形態３の感温部キャップの外観構造を示す図であり、（Ａ）は正面図、（Ｂ）は側面図、（Ｃ）は先端から見た底面図である。
【図１２】図１１中ＸＩＩ−ＸＩＩ線矢視断面図である。
【図１３】実施の形態４の感温部キャップの外観構造を示す斜視図である。
【図１４】実施の形態４の感温部キャップの外観構造を示す図であり、（Ａ）は正面図、（Ｂ）は側面図である。
【図１５】図１４中ＸＶ−ＸＶ線矢視断面図である。
【図１６】実施の形態５の感温部キャップの外観構造を示す斜視図である。
【図１７】実施の形態５の感温部キャップの外観構造を示す図であり、（Ａ）は正面図、（Ｂ）は側面図である。
【図１８】図１７中ＸＶＩＩＩ−ＸＶＩＩＩ線矢視断面図である。
【図１９】背景技術の感温部キャップの外観構造を示す斜視図である。
【図２０】背景技術の感温部キャップの縦断面図である。
【図２１】背景技術の感温部キャップに接着剤を満たして、感温部を感温部キャップに固定する方法を示す縦断面図である。
【図２２】背景技術の感温部キャップに部分的に接着剤を用いて、感温部を感温部キャップに固定する方法を示す縦断面図である。
【発明を実施するための形態】
【００２４】
以下、この発明に基づいた各実施の形態における感温部キャップについて図面を参照して詳細に説明する。なお、以下に説明する各実施の形態において、個数、量などに言及する場合、特に記載がある場合を除き、本発明の範囲は必ずしもその個数、量などに限定されない。また、以下に複数の実施の形態が存在する場合、特に記載がある場合を除き、各々の実施の形態の構成を適宜組み合わせることは、当初から予定されている。各図中、同一符号は同一または相当部分を指し、重複する説明は繰返さない場合がある。
【００２５】
（実施の形態１：電子体温計１の構造）
図１から図３を参照して、本実施の形態における電子体温計１の概略構成について説明する。図１は、本発明の実施の形態１における電子体温計１の外観構造を示す斜視図、図２は、図１に示す電子体温計１の機能ブロックの構成を示す図、図３は、電子体温計の組付け構造を示す分解斜視図である。
【００２６】
図１に示すように、本実施の形態における電子体温計１は、本体ハウジング１０、測温部を形成する感温部キャップ１００Ａ、および閉塞部材１６を備えている。本体ハウジング１０は、たとえばＡＢＳ（Acrylonitrile Butadiene Styrene）樹脂などの樹脂材料製の、筒状の中空の部材である。
【００２７】
本体ハウジング１０は、その表面の所定位置に銘板が貼り付けられるとともに、その表面の所定位置に表示部４および操作部５を有している。感温部キャップ１００Ａは、一端が閉塞された有底筒状の部材である。感温部キャップ１００Ａは、たとえばステンレス合金などの金属材料、樹脂材料などの任意の材料により形成されている。閉塞部材１６は、たとえばＡＢＳ樹脂などの樹脂材料からなるブロック状の部材である。
【００２８】
図３に示すように、感温部キャップ１００Ａは、本体ハウジング１０の軸方向（長手方向）の一端部である開口部１１に取付けられている。閉塞部材１６は、本体ハウジング１０の軸方向（長手方向）の他端部である後端部１２に取付けられている。本実施の形態の電子体温計１の筐体は、本体ハウジング１０と、本体ハウジング１０の先端に配置された感温部キャップ１００と、本体ハウジング１０の後端に配置された閉塞部材１６と、を含む。
【００２９】
図２に示すように、本実施の形態における電子体温計１は、上述した表示部４および操作部５に加え、制御部２、メモリ部３、報知部６、電源部７および測温部８を備えている。制御部２は、たとえばＣＰＵ（Central Processing Unit）にて構成され、電子体温計１の全体を制御するための手段である。
【００３０】
メモリ部３は、たとえばＲＯＭ（Read-Only Memory）やＲＡＭ（Random-Access Memory）にて構成され、体温測定のための処理手順を制御部２などに実行させるためのプログラムを記憶したり、測定結果などを記憶したりするための手段である。
【００３１】
表示部４は、たとえばＬＣＤ（Liquid Crystal Display）などの表示パネルにて構成され、測定結果などを表示するための手段である。操作部５は、たとえば押し釦にて構成され、ユーザによる操作を受け付けてこの外部からの命令を制御部２や電源部７に入力するための手段である。報知部６は、たとえばブザーによって構成され、測定が終了したことやユーザの操作を受け付けたことなどをユーザに知らせるための手段である。
【００３２】
電源部７は、たとえばボタン電池によって構成され、制御部２に電源としての電力を供給するための手段である。測温部８は、上述した感温部キャップ１００Ａと、当該感温部キャップ１００Ａの内部に収容された感温部７３とを含み、腋下や舌下などの被測定部位に挟み込まれることで体温を検出する部位である。
【００３３】
制御部２は、体温測定を実行するための処理回路を含んでおり、メモリ部３から読み出されたプログラムに基づいて体温を測定する。その際、制御部２は、測温部８から入力された温度データを処理することで測定結果としての体温を算出する。制御部２はさらに、算出した体温を表示部４にて表示したり、算出した体温をメモリ部３に記憶させたり、測定が終了したことを、報知部６を用いてユーザに知らせたりするように、電子体温計１を制御する。
【００３４】
再び、図３を参照して、本実施の形態における電子体温計１は、上述した筐体としての本体ハウジング１０、感温部キャップ１００および閉塞部材１６と、各種内部構成部品が組付けられたサブアセンブリとしてのアセンブリ１８とを備える。本体ハウジング１０は、アセンブリ１８を収容する中空の本体部１０ａと、測温部を形成する感温部キャップ１００および本体部１０ａの間に配置された中空のプローブ部１０ｂと、を含む。
【００３５】
感温部７３とリード線７２とは、リード線７２が同一方向に平行に伸びるラジアルリード型のサーミスタ（温度センサ）７４を形成する。なお、図示において、感温部７３の形状として、チップタイプを図示しているが、これに限定されるものではなく、感温部７３の形状としてティアドロップ型を用いることが可能である。以下の実施の形態も同様である。
【００３６】
感温部キャップ１００Ａは、本体ハウジング１０の前端を形成する開口部１１に、たとえば接着によって固定される。アセンブリ１８は、本体ハウジング１０の後端部１２に位置する開口から挿入されることにより、本体ハウジング１０の内部の中空部１３に収容される。
【００３７】
閉塞部材１６は、上述した本体ハウジング１０の後端部１２に位置する開口を閉塞するように、本体ハウジング１０に、たとえば接着、超音波溶着などによって固定される。ここで、閉塞部材１６の本体ハウジング１０に対する固定に超音波溶着を採用すれば、接着を採用した場合に比べて、短時間での処理が可能となる。
【００３８】
（感温部キャップ１００Ａ）
次に、図４から図６を参照して、本実施の形態における感温部キャップ１００Ａの詳細構造について説明する。なお、図４は、感温部キャップ１００Ａの外観構造を示す斜視図、図５は、感温部キャップ１００Ａの外観構造を示す図であり、（Ａ）は正面図、（Ｂ）は側面図、（Ｃ）は先端から見た底面図、図６は、図５中ＶＩ−ＶＩ線矢視断面図である。なお、図４には、説明の便宜上表示部４のみを模式的に図示している。
【００３９】
この感温部キャップ１００Ａは、本体ハウジング１０の開口部１１側に位置する略筒形状の胴体部１１０と、この胴体部１１０に連通し、感温部７３を収容する有底の収容部１２０とを含んでいる。感温部キャップ１００Ａは、厚さ０．１ｍｍ〜０．５ｍｍのステンレス等の金属材料からなり、断面はＵ字形状を有している。感温部キャップ１００Ａの長さ（Ｌ）は約７ｍｍ〜１１ｍｍ程度、胴体部１１０の直径（φＤ）は約３ｍｍ〜５ｍｍ、収容部１２０の長さ（φＤ／２）は約１．５ｍｍ〜２．５ｍｍ、胴体部１１０の長さは、（Ｌ）−（φＤ／２）となる。
【００４０】
収容部１２０には、その外面の先端部側に胴体部１１０側に向かうへこみ領域１３０が形成されている。本実施の形態におけるへこみ領域１３０の形状は、マイナスネジの頭のような形態である。ここでへこみ領域１３０とは、へこみ領域１３０が形成されていないとした場合の収容部１２０の仮想湾曲面Ｖに対して、胴体部１１０側に位置する領域のことをいう。本実施の形態におけるへこみ領域１３０は、収容部１２０の先端部側から胴体部１１０側に向かう直線状の凹み溝の形態を有している。へこみ領域１３０のへこみ深さ（ｄ）は、約０．５ｍｍ〜２．０ｍｍ程度である。
【００４１】
収容部１２０の外面にへこみ領域１３０を設けることで、収容部１２０の内部に感温部支持領域１３０ａが設けられる。具体的には、へこみ領域１３０により、収容部１２０の内部に凸部が設けられ、この凸部により、収容部１２０の内部が、中心軸Ａ１を挟んで、２つの感温部支持領域１３０ａに区分けされている。
【００４２】
また、図６に良く示されるように、収容部１２０の内部が区分けされた一方の感温部支持領域１３０ａに、サーミスタ（温度センサ）７４の感温部７３が収容され接着剤５０を用いて固定されている。
【００４３】
（作用・効果）
この実施の形態における感温部キャップ１００Ａ、およびこの感温部キャップ１００Ａを用いた電子体温計１によれば、感温部支持領域１３０ａは、感温部７３を取り囲むように収容部１２０の壁面が位置することなり、感温部キャップ１００Ａの収容部１２０にサーミスタ（温度センサ）７４の感温部７３を挿入した場合、いずれかの感温部支持領域１３０ａに到達することとなり、少ない接着剤５０の量で感温部７３を感温部支持領域１３０ａに対して容易に位置決めすることが可能となる。
【００４４】
また、感温部７３を取り囲むように収容部１２０の壁面と感温部７３との間に接着剤５０を配置させることができるため、接着剤５０の量が少ない場合であっても、感温部７３の略全面において接着剤５０との接着面を確保でき、感温部７３の収容部１２０への固定を安定させることができる。
【００４５】
その結果、接着剤５０の充填による、感温部キャップ１００Ａと感温部７３との間の熱的結合性の確保、感温部７３の固定位置ばらつきの抑制、および、熱拡散の抑制が可能となる。
【００４６】
また、感温部７３の収容部１２０への固定を安定させることができることから、電子体温計１の組み立て後における感温部７３の固定状態のばらつきを確認するための熱応答性検査を省略させることが期待できる。
【００４７】
また、接着剤５０の量は少量であることから、感温部キャップ１００Ａから感温部７３への熱伝導は速くなり、高速測定タイプの電子体温計として用いることが期待できる。また、感温部キャップ１００Ａとは別の小さな樹脂パーツを用いて収容部を構成する必要がないため、製造コストを上昇させることもない。
【００４８】
なお、再び図４を参照して、電子体温計を被験者の腋に挟んだ場合には、感温部７３は被験者の腕側（上腕側）または胴体側のいずれかの側に位置したほうが良い。そこで、感温部キャップ１００Ａを先端側から見た場合に、電子体温計の表示部４の表示面が、感温部７３から約９０°回転した方向（図中Ａ方向またはＢ方向）に面していることが好ましい。
【００４９】
被験者は、電子体温計の表示部４の表示面が見える位置となるように電子体温計を被験者の腋に挟むことから、左の腋または右の腋のいずれに挟んだ場合であっても、感温部７３を被験者の腕側（上腕側）または胴体側のいずれかの側に位置させることが可能となる。
【００５０】
（実施の形態２）
次に、実施の形態２における電子体温計および感温部キャップについて、図を参照しながら説明する。なお、電子体温計の基本的構成は、上記実施の形態１と同じであり、相違点は感温部キャップの形状のみである。したがって、ここで、本実施の形態における感温部キャップの形状のみについて詳細に説明する。
【００５１】
（感温部キャップ１００Ｂ）
図７から図９を参照して、本実施の形態における感温部キャップ１００Ｂの詳細構造について説明する。なお、図７は、感温部キャップ１００Ｂの外観構造を示す斜視図、図８は、感温部キャップ１００Ｂの外観構造を示す図であり、（Ａ）は正面図、（Ｂ）は側面図、（Ｃ）は底面図、図９は、図８中ＩＸ−ＩＸ線矢視断面図である。なお、図７には、説明の便宜上表示部４のみを模式的に図示している。
【００５２】
この感温部キャップ１００Ｂは、実施の形態１における感温部キャップ１００Ａと同様に、本体ハウジング１０の開口部１１側に位置する略筒形状の胴体部１１０と、この胴体部１１０に連通し、感温部７３を収容する有底の収容部１２０とを含んでいる。感温部キャップ１００Ｂは、厚さ０．１ｍｍ〜０．５ｍｍのステンレス等の金属材料からなり、断面はＵ字形状を有している。感温部キャップ１００Ａの長さ（Ｌ）は約７ｍｍ〜１１ｍｍ程度、胴体部１１０の直径（φＤ）は約３ｍｍ〜５ｍｍ、収容部１２０の長さ（φＤ／２）は約１．５ｍｍ〜２．５ｍｍ、胴体部１１０の長さは、（Ｌ）−（φＤ／２）となる。
【００５３】
収容部１２０には、その外面の先端部側に胴体部１１０側に向かうへこみ領域１４０が形成されている。本実施の形態におけるへこみ領域１４０の形状は、プラスネジの頭のような形態である。ここでへこみ領域１４０とは、へこみ領域１４０が形成されていないとした場合の収容部１２０の仮想湾曲面Ｖに対して、胴体部１１０側に位置する領域のことをいう。本実施の形態におけるへこみ領域１４０は、収容部１２０の先端部側から胴体部１１０側に向かう十字形状の凹み溝の形態を有している。へこみ領域１４０のへこみ深さ（ｄ）は、約０．５ｍｍ〜２．０ｍｍ程度である。
【００５４】
収容部１２０の外面にへこみ領域１４０を設けることで、収容部１２０の内部に感温部支持領域１４０ａが設けられる。具体的には、へこみ領域１４０により、収容部１２０の内部に凸部が設けられる。この凸部により、収容部１２０の内部が、中心軸Ａ１を取り囲むように、４つの感温部支持領域１４０ａに区分けされる。
【００５５】
また、図９に良く示されるように、収容部１２０の内部が区分けされた一つの感温部支持領域１４０ａに、サーミスタ（温度センサ）７４の感温部７３が収容され接着剤５０を用いて固定されている。
【００５６】
（作用・効果）
この実施の形態における感温部キャップ１００Ｂ、およびこの感温部キャップ１００Ｂを用いた電子体温計によれば、感温部支持領域１４０ａは、感温部７３を取り囲むように収容部１２０の壁面が位置することなり、感温部キャップ１００Ｂの収容部１２０にサーミスタ（温度センサ）７４の感温部７３を挿入した場合、いずれかの感温部支持領域１４０ａに到達することとなり、少ない接着剤５０の量で感温部７３を感温部支持領域１３０ａに対して容易に位置決めすることが可能となる。
【００５７】
また、感温部７３を取り囲むように収容部１２０の壁面と感温部７３との間に接着剤５０を配置させることができるため、接着剤５０の量が少ない場合であっても、感温部７３の略全面において接着剤５０との接着面を確保でき、感温部７３の収容部１２０への固定を安定させることができる。
【００５８】
その結果、接着剤５０の充填による、感温部キャップ１００Ｂと感温部７３との間の熱的結合性の確保、感温部７３の固定位置ばらつきの抑制、および、熱拡散の抑制が可能となる。
【００５９】
また、感温部７３の収容部１２０への固定を安定させることができることから、電子体温計１の組み立て後における感温部７３の固定状態のばらつきを確認するための熱応答性検査を省略させることが期待できる。
【００６０】
また、接着剤５０の量は少量であることから、感温部キャップ１００Ｂから感温部７３への熱伝導は速くなり、高速測定タイプの電子体温計として用いることが期待できる。また、感温部キャップ１００Ｂとは別の小さな樹脂パーツを用いて収容部を構成する必要がないため、製造コストを上昇させることもない。
【００６１】
なお、再び図７を参照して、電子体温計を被験者の腋に挟んだ場合には、感温部７３は被験者の腕側（上腕側）または胴体側のいずれかの側に位置したほうが良い。そこで、感温部キャップ１００Ｂを先端側から見た場合に、電子体温計の表示部４の表示面が、感温部７３から約９０°回転した方向（図中Ａ方向またはＢ方向）に面していることが好ましい。
【００６２】
被験者は、電子体温計の表示部４の表示面が見える位置となるように電子体温計を被験者の腋に挟むことから、左の腋または右の腋のいずれに挟んだ場合であっても、感温部７３を被験者の腕側（上腕側）または胴体側のいずれかの側に位置させることが可能となる。
【００６３】
（実施の形態３）
次に、実施の形態３における電子体温計および感温部キャップについて、図を参照しながら説明する。なお、電子体温計の基本的構成は、上記実施の形態１と同じであり、相違点は感温部キャップの形状のみである。したがって、ここで、本実施の形態における感温部キャップの形状のみについて詳細に説明する。
【００６４】
（感温部キャップ１００Ｃ）
図１０から図１２を参照して、本実施の形態における感温部キャップ１００Ｃの詳細構造について説明する。なお、図１０は、感温部キャップ１００Ｃの外観構造を示す斜視図、図１１は、感温部キャップ１００Ｃの外観構造を示す図であり、（Ａ）は正面図、（Ｂ）は側面図、（Ｃ）は底面図、図１２は、図１１中ＸＩＩ−ＸＩＩ線矢視断面図である。なお、図１０には、説明の便宜上表示部４のみを模式的に図示している。
【００６５】
この感温部キャップ１００Ｃは、実施の形態１における感温部キャップ１００Ａと同様に、本体ハウジング１０の開口部１１側に位置する略筒形状の胴体部１１０と、この胴体部１１０に連通し、感温部７３を収容する有底の収容部１２０とを含んでいる。感温部キャップ１００Ｃは、厚さ０．１ｍｍ〜０．５ｍｍのステンレス等の金属材料からなり、断面はＵ字形状を有している。感温部キャップ１００Ａの長さ（Ｌ）は約７ｍｍ〜１１ｍｍ程度、胴体部１１０の直径（φＤ）は約３ｍｍ〜５ｍｍ、収容部１２０の長さ（φＤ／２）は約１．５ｍｍ〜２．５ｍｍ、胴体部１１０の長さは、（Ｌ）−（φＤ／２）となる。
【００６６】
収容部１２０には、その外面の先端部側に胴体部１１０側に向かうへこみ領域１５０が形成されている。ここでへこみ領域１５０とは、へこみ領域１５０が形成されていないとした場合の収容部１２０の仮想湾曲面Ｖに対して、胴体部１１０側に位置する領域のことをいう。本実施の形態におけるへこみ領域１５０は、収容部１２０の先端中央部側から胴体部１１０側に向かう筒状の凹み溝の形態を有している。へこみ領域１５０のへこみ深さ（ｄ）は、約０．５ｍｍ〜２．０ｍｍ程度である。
【００６７】
収容部１２０の外面にへこみ領域１５０を設けることで、収容部１２０の内部に感温部支持領域１５０ａが設けられる。具体的には、へこみ領域１５０により、収容部１２０の内部に中心軸Ａ１を取り囲む環状の感温部支持領域１５０ａが区分けされる。
【００６８】
また、図１２に良く示されるように、収容部１２０の内部が区分けされた環状の感温部支持領域１５０ａに、サーミスタ（温度センサ）７４の感温部７３が収容され接着剤５０を用いて固定されている。
【００６９】
（作用・効果）
この実施の形態における感温部キャップ１００Ｃ、およびこの感温部キャップ１００Ｃを用いた電子体温計によれば、感温部支持領域１５０ａは、感温部７３を取り囲むように収容部１２０の壁面が位置することなり、感温部キャップ１００Ｃの収容部１２０にサーミスタ（温度センサ）７４の感温部７３を挿入した場合、環状の感温部支持領域１５０ａに到達することとなり、少ない接着剤５０の量で感温部７３を感温部支持領域１５０ａに対して容易に位置決めすることが可能となる。
【００７０】
また、感温部７３を取り囲むように収容部１２０の壁面と感温部７３との間に接着剤５０を配置させることができるため、接着剤５０の量が少ない場合であっても、感温部７３の略全面において接着剤５０との接着面を確保でき、感温部７３の収容部１２０への固定を安定させることができる。
【００７１】
その結果、接着剤５０の充填による、感温部キャップ１００Ｃと感温部７３との間の熱的結合性の確保、感温部７３の固定位置ばらつきの抑制、および、熱拡散の抑制が可能となる。
【００７２】
また、感温部７３の収容部１２０への固定を安定させることができることから、電子体温計１の組み立て後における感温部７３の固定状態のばらつきを確認するための熱応答性検査を省略させることが期待できる。
【００７３】
また、接着剤５０の量は少量であることから、感温部キャップ１００Ｃから感温部７３への熱伝導は速くなり、高速測定タイプの電子体温計として用いることが期待できる。また、感温部キャップ１００Ｃとは別の小さな樹脂パーツを用いて収容部を構成する必要がないため、製造コストを上昇させることもない。
【００７４】
なお、再び図１０を参照して、電子体温計を被験者の腋に挟んだ場合には、感温部７３は被験者の腕側（上腕側）または胴体側のいずれかの側に位置したほうが良い。そこで、感温部キャップ１００Ｃを先端側から見た場合に、電子体温計の表示部４の表示面が、感温部７３から約９０°回転した方向（図中Ａ方向またはＢ方向）に面していることが好ましい。
【００７５】
被験者は、電子体温計の表示部４の表示面が見える位置となるように電子体温計を被験者の腋に挟むことから、左の腋または右の腋のいずれに挟んだ場合であっても、感温部７３を被験者の腕側（上腕側）または胴体側のいずれかの側に位置させることが可能となる。
【００７６】
（実施の形態４）
次に、実施の形態４における電子体温計および感温部キャップについて、図を参照しながら説明する。なお、電子体温計の基本的構成は、上記実施の形態１と同じであり、相違点は感温部キャップの形状のみである。したがって、ここで、本実施の形態における感温部キャップの形状のみについて詳細に説明する。
【００７７】
（感温部キャップ１００Ｄ）
図１３から図１５を参照して、本実施の形態における感温部キャップ１００Ｄの詳細構造について説明する。なお、図１３は、感温部キャップ１００Ｄの外観構造を示す斜視図、図１４は、感温部キャップ１００Ｄの外観構造を示す図であり、（Ａ）は正面図、（Ｂ）は側面図、図１５は、図１４中ＸＶ−ＸＶ線矢視断面図である。なお、図１３には、説明の便宜上表示部４のみを模式的に図示している。
【００７８】
この感温部キャップ１００Ｄは、実施の形態１における感温部キャップ１００Ａと同様に、本体ハウジング１０の開口部１１側に位置する略筒形状の胴体部１１０と、この胴体部１１０に連通し、感温部７３を収容する有底の収容部１２０とを含んでいる。感温部キャップ１００Ｄは、厚さ０．１ｍｍ〜０．５ｍｍのステンレス等の金属材料からなり、断面はＵ字形状を有している。感温部キャップ１００Ａの長さ（Ｌ）は約７ｍｍ〜１１ｍｍ程度、胴体部１１０の直径（φＤ）は約３ｍｍ〜５ｍｍ、収容部１２０の長さ（φＤ／２）は約１．５ｍｍ〜２．５ｍｍ、胴体部１１０の長さは、（Ｌ）−（φＤ／２）となる。
【００７９】
収容部１２０には、その外面の先端部側に胴体部１１０側に向かうへこみ領域１６０が形成されている。ここでへこみ領域１６０とは、へこみ領域１６０が形成されていないとした場合の収容部１２０の仮想湾曲面Ｖに対して、胴体部１１０側に位置する領域のことをいう。本実施の形態におけるへこみ領域１６０は、胴体部１１０側に位置し第１傾斜角度（α１）を有する第１傾斜面１６１ａと、先端部側に位置し第１傾斜角度（α１）よりも大きい第２傾斜角度(α２)を有する第２傾斜面１６１ｂとを有している。
【００８０】
ここで、傾斜角度とは、図１４（Ａ）中に示すように、中心軸Ａ１に垂直に交わる仮想平面と各傾斜面とが交差するときによって規定される角度をいう。本実施の形態では、第１傾斜角度（α１）は約２０度、第２傾斜角度（α２）は約７０度である。また、第１傾斜面１６１ａと第２傾斜面１６１ｂとの交差角度（α３）は、約１３０度である。
【００８１】
このように、へこみ領域１６０として、第１傾斜面１６１ａと第２傾斜面１６１ｂとを有することにより、第２傾斜面１６１ｂにより形成された感温部支持領域１６０ａの先端部に、感温部７３が収容されることになる。
【００８２】
このように収容部１２０の外面にへこみ領域１６０を設けることで、収容部１２０の内部に感温部支持領域１６０ａが設けられる。具体的には、へこみ領域１６０により、収容部１２０の先端部に感温部支持領域１６０ａが区分けされる。
【００８３】
また、図１５に良く示されるように、収容部１２０の内部の区分けされた感温部支持領域１６０ａに、サーミスタ（温度センサ）７４の感温部７３が収容され接着剤５０を用いて固定されている。
【００８４】
（作用・効果）
この実施の形態における感温部キャップ１００Ｄ、およびこの感温部キャップ１００Ｄを用いた電子体温計によれば、感温部支持領域１６０ａは、感温部７３を取り囲むように収容部１２０の壁面が位置することなり、感温部キャップ１００Ｄの収容部１２０にサーミスタ（温度センサ）７４の感温部７３を挿入した場合、先細りの感温部支持領域１６０ａに到達することとなり、少ない接着剤５０の量で感温部７３を感温部支持領域１６０ａに対して容易に位置決めすることが可能となる。
【００８５】
また、感温部７３を取り囲むように収容部１２０の壁面と感温部７３との間に接着剤５０を配置させることができるため、接着剤５０の量が少ない場合であっても、感温部７３の略全面において接着剤５０との接着面を確保でき、感温部７３の収容部１２０への固定を安定させることができる。
【００８６】
その結果、接着剤５０の充填による、感温部キャップ１００Ｄと感温部７３との間の熱的結合性の確保、感温部７３の固定位置ばらつきの抑制、および、熱拡散の抑制が可能となる。
【００８７】
また、感温部７３の収容部１２０への固定を安定させることができることから、電子体温計の組み立て後における感温部７３の固定状態のばらつきを確認するための熱応答性検査を省略させることが期待できる。
【００８８】
また、接着剤５０の量は少量であることから、感温部キャップ１００Ｄから感温部７３への熱伝導は速くなり、高速測定タイプの電子体温計として用いることが期待できる。また、感温部キャップ１００Ｄとは別の小さな樹脂パーツを用いて収容部を構成する必要がないため、製造コストを上昇させることもない。
【００８９】
なお、再び図１３を参照して、電子体温計を被験者の腋に挟んだ場合には、感温部７３は被験者の腕側（上腕側）または胴体側のいずれかの側に位置したほうが良い。そこで、感温部キャップ１００Ｄを先端側から見た場合に、電子体温計の表示部４の表示面が、感温部７３から約９０°回転した方向（図中Ａ方向またはＢ方向）に面していることが好ましい。
【００９０】
被験者は、電子体温計の表示部４の表示面が見える位置となるように電子体温計を被験者の腋に挟むことから、左の腋または右の腋のいずれに挟んだ場合であっても、感温部７３を被験者の腕側（上腕側）または胴体側のいずれかの側に位置させることが可能となる。
【００９１】
（実施の形態５）
次に、実施の形態５における電子体温計および感温部キャップについて、図を参照しながら説明する。なお、電子体温計の基本的構成は、上記実施の形態１と同じであり、相違点は感温部キャップの形状のみである。したがって、ここで、本実施の形態における感温部キャップの形状のみについて詳細に説明する。
【００９２】
（感温部キャップ１００Ｅ）
図１６から図１８を参照して、本実施の形態における感温部キャップ１００Ｅの詳細構造について説明する。なお、図１６は、感温部キャップ１００Ｅの外観構造を示す斜視図、図１７は、感温部キャップ１００Ｅの外観構造を示す図であり、（Ａ）は正面図、（Ｂ）は側面図、図１８は、図１７中ＸＶＩＩＩ−ＸＶＩＩＩ線矢視断面図である。なお、図１６には、説明の便宜上表示部４のみを模式的に図示している。
【００９３】
この感温部キャップ１００Ｅは、実施の形態４における感温部キャップ１００Ａと同様に、本体ハウジング１０の開口部１１側に位置する略筒形状の胴体部１１０と、この胴体部１１０に連通し、感温部７３を収容する有底の収容部１２０とを含んでいる。感温部キャップ１００Ｅは、厚さ０．１ｍｍ〜０．５ｍｍのステンレス等の金属材料からなり、断面はＵ字形状を有している。感温部キャップ１００Ａの長さ（Ｌ）は約７ｍｍ〜１１ｍｍ程度、胴体部１１０の直径（φＤ）は約３ｍｍ〜５ｍｍ、収容部１２０の長さ（φＤ／２）は約１．５ｍｍ〜２．５ｍｍ、胴体部１１０の長さは、（Ｌ）−（φＤ／２）となる。
【００９４】
収容部１２０には、その外面の先端部側に胴体部１１０側に向かうへこみ領域１７０が形成されている。ここでへこみ領域１７０とは、へこみ領域１７０が形成されていないとした場合の収容部１２０の仮想湾曲面Ｖに対して、胴体部１１０側に位置する領域のことをいう。本実施の形態におけるへこみ領域１７０は、胴体部１１０側に位置し所定の傾斜角度（α）を有する傾斜面を有している。
【００９５】
ここで、傾斜角度とは、図１７中に示すように、中心軸Ａ１に垂直に交わる仮想平面と傾斜面とが交差するときによって規定される角度をいう。本実施の形態では、傾斜角度（α）は約４５°から約９０°程度であり、好ましくは、６０°程度である。
【００９６】
このように、へこみ領域１７０として、傾斜面を有することにより、このへこみ領域１７０により仕切られた感温部支持領域１７０ａの先端部に、感温部７３が収容されることになる。
【００９７】
このように収容部１２０の外面にへこみ領域１７０を設けることで、収容部１２０の内部に感温部支持領域１７０ａが設けられる。具体的には、へこみ領域１７０により、収容部１２０の先端部に感温部支持領域１７０ａが区分けされる。
【００９８】
また、図１８に良く示されるように、収容部１２０の内部に形成された感温部支持領域１７０ａに、サーミスタ（温度センサ）７４の感温部７３が収容され接着剤５０を用いて固定されている。
【００９９】
（作用・効果）
この実施の形態における感温部キャップ１００Ｅ、およびこの感温部キャップ１００Ｅを用いた電子体温計によれば、感温部支持領域１６０ａは、感温部７３を取り囲むように収容部１２０の壁面が位置することなり、感温部キャップ１００Ｅの収容部１２０にサーミスタ（温度センサ）７４の感温部７３を挿入した場合、先細りの感温部支持領域１５０６に到達することとなり、少ない接着剤５０の量で感温部７３を感温部支持領域１６０ａに対して容易に位置決めすることが可能となる。
【０１００】
また、感温部７３を取り囲むように収容部１２０の壁面と感温部７３との間に接着剤５０を配置させることができるため、接着剤５０の量が少ない場合であっても、感温部７３の略全面において接着剤５０との接着面を確保でき、感温部７３の収容部１２０への固定を安定させることができる。
【０１０１】
その結果、接着剤５０の充填による、感温部キャップ１００Ｅと感温部７３との間の熱的結合性の確保、感温部７３の固定位置ばらつきの抑制、および、熱拡散の抑制が可能となる。
【０１０２】
また、感温部７３の収容部１２０への固定を安定させることができることから、電子体温計の組み立て後における感温部７３の固定状態のばらつきを確認するための熱応答性検査を省略させることが期待できる。
【０１０３】
また、接着剤５０の量は少量であることから、感温部キャップ１００Ｄから感温部７３への熱伝導は速くなり、高速測定タイプの電子体温計として用いることが期待できる。また、感温部キャップ１００Ｄとは別の小さな樹脂パーツを用いて収容部を構成する必要がないため、製造コストを上昇させることもない。
【０１０４】
なお、再び図１６を参照して、電子体温計を被験者の腋に挟んだ場合には、感温部７３は被験者の腕側（上腕側）または胴体側のいずれかの側に位置したほうが良い。そこで、感温部キャップ１００Ｅを先端側から見た場合に、電子体温計の表示部４の表示面が、感温部７３から約９０°回転した方向（図中Ａ方向またはＢ方向）に面していることが好ましい。
【０１０５】
被験者は、電子体温計の表示部４の表示面が見える位置となるように電子体温計を被験者の腋に挟むことから、左の腋または右の腋のいずれに挟んだ場合であっても、感温部７３を被験者の腕側（上腕側）または胴体側のいずれかの側に位置させることが可能となる。
【０１０６】
なお、上記各実施の形態において、感温部キャップの外観構成として横断面形状が円形状の円筒形状の場合について説明しているがこれに限定されるものではなき。たとえば、横断面形状が、楕円形形状、矩形形状等の筒型形状を採用することも可能である。
【０１０７】
以上のように本発明の実施の形態について説明を行なったが、各実施の形態の構成を適宜組み合わせてもよい。また、今回開示された実施の形態はすべての点で例示であって、制限的なものではないと考えられるべきである。この発明の範囲は上記した説明ではなくて特許請求の範囲によって示され、特許請求の範囲と均等の意味、および範囲内でのすべての変更が含まれることが意図される。
【符号の説明】
【０１０８】
１  電子体温計、２  制御部、３  メモリ部、４  表示部、５  操作部、６  報知部、７  電源部、８  測温部、１０  本体ハウジング、１０ａ  本体部、１０ｂ  プローブ部、１１  開口部、１２  後端部、１３  中空部、１００Ａ，１００Ｂ，１００Ｃ，１００Ｄ，１００Ｅ  感温部キャップ、１６  閉塞部材、１８  アセンブリ、５０  接着剤、７２  リード線、７３  感温部、１１０  胴体部、１２０  収容部、１３０，１４０，１５０，１６０，１７０  へこみ領域、１３０ａ，１４０ａ，１５０ａ，１６０ａ，１７０ａ  感温部支持領域、１６１ａ  第１傾斜面、１６１ｂ  第２傾斜面、２００  感温部キャップ。
【図１】
2012112766.tif 000003
【図２】
2012112766.tif 000004
【図３】
2012112766.tif 000005
【図４】
2012112766.tif 000006
【図５】
2012112766.tif 000007
【図６】
2012112766.tif 000008
【図７】
2012112766.tif 000009
【図８】
2012112766.tif 000010
【図９】
2012112766.tif 000011
【図１０】
2012112766.tif 000012
【図１１】
2012112766.tif 000013
【図１２】
2012112766.tif 000014
【図１３】
2012112766.tif 000015
【図１４】
2012112766.tif 000016
【図１５】
2012112766.tif 000017
【図１６】
2012112766.tif 000018
【図１７】
2012112766.tif 000019
【図１８】
2012112766.tif 000020
【図１９】
2012112766.tif 000021
【図２０】
2012112766.tif 000022
【図２１】
2012112766.tif 000023
【図２２】
2012112766.tif 000024